(57)【要約】【課題】携帯キー装置の保管場所に制限を設けることなく、正規の携帯キー装置を保持するユーザがドア本体に近づいたときに解錠をさせる。【解決手段】例えば室内からサムターン施錠がなされた場合に、インターユニット制御部６８では、ユーザにより保有される携帯キー装置と、第１ＬＦアンテナ４１及び第２ＬＦアンテナ４２を駆動して第１通信範囲にて通信をした結果に基づいてドア本体を解錠させる処理を禁止するセキュリティモードとする。そして、インターユニット制御部６８では、室外からアンロックスイッチ５５が操作された場合に、第１通信範囲よりも近接した近接通信範囲内にて通信をするように第３ＬＦアンテナ４３を駆動して、室外のユーザにより保有される携帯キー装置に識別情報の送信を要求して識別情報を受信する。そして、受信した識別情報と、登録しておいた識別情報とが一致している場合にドア本体を解錠させる。【選択図】      図３
2004190420.tif 000002
【特許請求の範囲】
【請求項１】
ユーザに保有される携帯キー装置との間で第１通信範囲内にて無線通信をする無線通信手段と、
上記携帯キー装置との間で第１通信範囲よりも近接した近接通信範囲内にて無線通信をする近接通信手段と、
ドア本体に設けられている施解錠機構を動作させて上記ドア本体を解錠させる解錠駆動制御手段と、
上記携帯キー装置の識別情報を記憶する記憶手段と、
上記携帯キー装置と上記無線通信手段との通信をした結果に基づいて上記解錠駆動制御手段を制御して上記ドア本体を解錠させる処理を禁止するセキュリティモードである場合に、上記識別情報の送信を要求する無線信号を上記携帯キー装置に送信するように上記近接通信手段を制御し、上記携帯キー装置から送信されて上記近接通信手段にて受信した識別情報と上記記憶手段に記憶された識別情報とが一致しているときに、上記解錠駆動制御手段を制御して上記ドア本体を解錠させる施解錠制御手段と
を備えることを特徴とする施解錠制御装置。
【請求項２】
住宅外のドア本体に設けられて、ユーザにより上記ドア本体を解錠させるに際して操作される解錠操作手段を更に備え、
上記施解錠制御手段は、上記解錠操作手段が操作された後に、上記携帯キー装置に識別情報の送信を要求する無線信号を送信するように上記近接通信手段を制御することを特徴とする請求項１に記載の施解錠制御装置。
【請求項３】
住宅外のドア本体に設けられて、室外のユーザにセキュリティモードであることを通知する通知手段を更に備え、
上記施解錠制御手段は、上記解錠操作手段が操作された場合に上記セキュリティモードであることを通知するように上記通知手段を制御することを特徴とする請求項２に記載の施解錠制御装置。
【請求項４】
住宅外のドア本体に設けられて、室外のユーザにセキュリティモードであることを通知する通知手段を更に備え、
上記施解錠制御手段は、上記セキュリティモードであることを通知するように上記通知手段を制御している場合に、上記携帯キー装置が上記近接通信手段の近接通信範囲に存在する場合に、上記携帯キー装置に識別情報の送信を要求する無線信号を上記携帯キー装置に送信するように上記近接通信手段を制御することを特徴とする請求項１に記載の施解錠制御装置。
【請求項５】
上記施解錠制御手段は、上記施解錠機構が室内のユーザにより操作されて上記ドア本体が施錠された場合に、上記セキュリティモードとすることを特徴とする請求項１に記載の施解錠制御装置。
【請求項６】
上記近接通信手段と上記携帯キー装置との通信をさせて、新規の識別情報を上記記憶手段に記憶させる登録手段を更に備えることを特徴とする請求項１に記載の施解錠制御装置。
【請求項７】
ユーザにより保有される携帯キー装置と第１通信範囲にて通信をした結果に基づいてドア本体を解錠させる処理を禁止するセキュリティモードとするステップと、
上記ドア本体を解錠させるに際して、上記第１通信範囲よりも近接した近接通信範囲内にて、上記携帯キー装置に識別情報の送信を要求するステップと、
上記近接通信範囲内の上記携帯キー装置から送信された識別情報を受信するステップと、
上記受信した識別情報と、予め登録しておいた識別情報とが一致しているか否かを判定するステップと、
上記受信した識別情報と、予め登録しておいた識別情報とが一致していると判定した場合に、上記ドア本体を解錠させるステップと
を有することを特徴とする施解錠制御方法。
【請求項８】
住宅外のドア本体に設けられて、ユーザにより上記ドア本体を解錠させる操作が室外からなされたことを認識するステップの後に、上記識別情報の送信を要求するステップを行うことを特徴とする請求項７に記載の施解錠制御方法。
【請求項９】
住宅外のドア本体に設けられて、ユーザにより上記ドア本体を解錠させる操作が室外からなされたことを認識するステップの後に、室外のユーザにセキュリティモードであることを通知することを特徴とする請求項８に記載の施解錠制御方法。
【請求項１０】
上記セキュリティモードであることを通知するステップを有し、
上記セキュリティモードであることを通知しているときに、上記携帯キー装置が上記近接通信範囲に存在する場合に、上記携帯キー装置に識別情報の送信を要求する無線信号を送信することを特徴とする請求項７に記載の施解錠制御方法。
【請求項１１】
上記ドア本体を施解錠操作させる施解錠機構が室内のユーザにより操作されて、上記ドア本体が施錠された場合に、上記セキュリティモードとすることを特徴とする請求項７に記載の施解錠制御方法。
【請求項１２】
上記近接通信範囲にて通信をして、新規の識別情報を登録するステップを更に有することを特徴とする請求項７に記載の施解錠制御方法。
【発明の詳細な説明】
【０００１】
【発明の属する技術分野】
本発明は、錠装置と、キー装置との無線通信による施錠又は解錠を制御する施解錠制御装置及び施解錠制御方法に関する。
【０００２】
【従来の技術】
従来より、ユーザが保有する携帯キー装置と、当該携帯キー装置の送信するＩＤを受信する錠装置とからなり、無線通信によるＩＤ照合結果に基づいて施解錠を行う住宅用施解錠システムが下記の特許文献１などにて知られている。
【０００３】
このような住宅用施解錠システムにおいては、錠装置から所定の通信範囲、すなわち錠装置から室外の所定範囲及び室内の所定範囲に携帯キー装置がある場合に解錠を許可する動作をしている。しかし、このような住宅用施解錠システムでは、玄関先などの通信範囲に携帯キー装置を保管しておいた場合であっても解錠を許可してしまうので、携帯キー装置を保有していない第三者が室外から解錠させることを許容してしまう。したがって、従来の住宅用施解錠システムにおいては、ドア本体の近くに携帯キー装置を置かないように、保管場所の制限を厳重に注意させる必要があり、ユーザに保管場所の制限を促す必要があった。
【０００４】
また、従来の住宅用施解錠システムでは、携帯キー装置を保持したユーザが不用意に錠装置に近づくと解錠可能状態となるために、携帯キー装置を保持しない第三者から室内に押し入られる可能性があった。
【０００５】
このような事態を回避するために、従来の住宅用施解錠システムでは、携帯キー装置を錠装置に近づけた場合に、解錠可能状態とすることを任意に無効とする手段を備えたものが提案されている。
【０００６】
【特許文献１】
特開２０００−２２７４７９号公報
【０００７】
【発明が解決しようとする課題】
しかしながら、従来の住宅用施解錠システムにおいて、解錠可能状態とすることを任意に無効とすると、複数の携帯キー装置を錠装置に登録して使用した場合、解錠可能状態が無効にされたときに室外から解錠する手段が無くなってしまうという問題点があった。
【０００８】
そこで、本発明は、上述した実情に鑑みて提案されたものであり、携帯キー装置の保管場所に制限を設けることなく、正規の携帯キー装置を保持するユーザがドア本体に近づいたときに解錠をさせる施解錠制御装置及び施解錠制御方法を提供することを目的とする。
【０００９】
【課題を解決するための手段】
本発明は、ユーザにより保有される携帯キー装置と、第１通信範囲にて通信をした結果に基づいてドア本体を解錠させる処理を禁止するセキュリティモードとした場合に、ドア本体を解錠させるに際して、第１通信範囲よりも近接した近接通信範囲内にて、室外のユーザにより保有される携帯キー装置に識別情報の送信を要求し、近接通信範囲内の携帯キー装置から送信された識別情報を受信する。そして、受信した識別情報と、予め登録しておいた識別情報とが一致しているか否かを判定して、一致していると判定した場合に、ドア本体を解錠させることで、上述の課題を解決する。
【００１０】
【発明の実施の形態】
以下、本発明の実施の形態について図面を参照して説明する。
【００１１】
本発明は、例えば図１に示すように構成された住宅用施解錠システムに適用される。
【００１２】
［住宅用施解錠システムの構成］
この住宅用施解錠システムは、図１に示すように、ドア本体１の住宅内側にインナーユニット２、インターフェースユニット３及び電動サムターンユニット４が設けられると共に、ドア本体１の住宅外側にアウターユニット５が設けられ、アウターユニット５と携帯キー装置１０とが無線通信するように構成されている。また、住宅用施解錠システムにおいて、ドア本体１には、開閉動作を検出する扉開閉スイッチ６が内蔵されている。
【００１３】
この住宅用施解錠システムは、インナーユニット２と、電動サムターンユニット４、アウターユニット５及び扉開閉スイッチ６とがドア本体１内にてワイヤハーネスを介して接続されることで、相互に有線通信が可能となっている。また、この住宅用施解錠システムにおいて、インターフェースユニット３は、例えば住宅内の何れかに設けられて、ドア本体１の施解錠状態や、外来者の来訪などを監視させるものであり、インナーユニット２と宅内配線などを介して接続されている。
【００１４】
携帯キー装置１０は、ユーザにより携帯され、ドア本体１から所定の距離に設定された通信範囲にてアウターユニット５と通信する。この住宅用施解錠システムにおいては、例えば住宅の住居人が保持する複数の携帯キー装置１０が存在し、各携帯キー装置１０ごとに、ユーザ登録時に付与されるキー番号ＩＤ、製造段階時に付与されるキーＩＤの識別情報が与えられている。
【００１５】
電動サムターンユニット４は、回転トルクが与えられることにより回動動作して、ドア本体１を施解錠する施解錠機構を備える。この施解錠機構は、ユーザの手動又はインナーユニット２の制御に従って回転トルクが与えられる。この電動サムターンユニット４では、インナーユニット２の制御にしたがって施解錠する場合には、施解錠モータ２１を動作させることで施解錠機構に回転トルクを与える。また、この電動サムターンユニット４は、ドア本体１が施錠又は解錠していることを検出する施解錠スイッチ２２を内蔵し、施解錠の状態がインナーユニット２により検出される。
【００１６】
「携帯キー装置の構成」
携帯キー装置１０は、その機能的な構成を図２に示すように、ＣＰＵ（Central Processing Unit）３１に、電源部３２、ＬＦ（low frequency）レシーバ３３、ＵＨＦ（ultrahigh frequency）トランスミッタ３４、ＥＥＰＲＯＭ（Electrically Erasable and Programmable Read Only Memory）３５が接続されて構成されている。この携帯キー装置１０は、例えば電池等の電源部３２から各部に電源供給がされることで各部を動作させる。
【００１７】
ＬＦレシーバ３３は、ＬＦ帯（３０Ｈｚ〜３００Ｈｚ）の無線信号を受信するＬＦアンテナ３６が接続され、当該ＬＦアンテナ３６にて検出した無線信号を入力する。このＬＦレシーバ３３では、ＬＦアンテナ３６によりアウターユニット５からの無線信号を入力すると、Ａ／Ｄ変換処理等を施したデータにしてＣＰＵ３１に送る。このＬＦレシーバ３３により受信する情報としては、アウターユニット５の通信範囲に携帯キー装置１０が存在するか否かを判定するために、キーＩＤ情報の送信要求をするリクエスト信号がある。
【００１８】
ＵＨＦトランスミッタ３４は、ＵＨＦ帯（３００〜３０００ＭＨｚ）の無線信号を送信するＵＨＦアンテナ３７と接続され、ＣＰＵ３１の制御に従って無線信号をアウターユニット５に送信する。このＵＨＦトランスミッタ３４では、ＣＰＵ３１から送信する情報が与えられると、周波数変調処理等を施した無線信号にしてＵＨＦアンテナ３７に送る。このＵＨＦトランスミッタ３４により送信させる情報としては、キーＩＤ情報などを含むアンサーバック信号がある。
【００１９】
ＣＰＵ３１は、ＬＦレシーバ３３からのリクエスト信号を入力したことに応じて、後述の信号送出処理をする。この信号送出処理では、ＣＰＵ３１により、ＥＥＰＲＯＭ３５に格納されたキーＩＤ情報を読み出して、ＵＨＦトランスミッタ３４に送る。
【００２０】
「インナーユニット２及びアウターユニット５の構成」
つぎに、インナーユニット２及びアウターユニット５の機能的な構成について図３を参照して説明する。
【００２１】
アウターユニット５は、携帯キー装置１０との間で無線通信をするために、第１ＬＦアンテナ４１、第２ＬＦアンテナ４２、第３ＬＦアンテナ４３を備える。また、このアウターユニット５は、携帯キー装置１０からのアンサーバック信号を受信するＵＨＦアンテナ４５を備える。
【００２２】
第１ＬＦアンテナ４１と第２ＬＦアンテナ４２とは、コイルの巻方向が相互に逆方向となっており、第３ＬＦアンテナ４３は、所定の巻方向にコイルが巻回されてなる。これらの第１ＬＦアンテナ４１、第２ＬＦアンテナ４２及び第３ＬＦアンテナ４３は、所定の近接通信範囲にて携帯キー装置１０と無線通信をすると共に、所定の近接通信範囲よりも広いパッシブ通信範囲にて携帯キー装置１０と無線通信をする。
【００２３】
本例において、アウターユニット５では、第１ＬＦアンテナ４１、第２ＬＦアンテナ４２により近接通信範囲にて無線信号の通信を行う場合には、第１ＬＦアンテナ４１及び第２ＬＦアンテナ４２により無線信号の送信処理をする。これに対し、ＵＨＦアンテナ４５では、パッシブ通信範囲にてアンサーバック信号の受信処理をする。
【００２４】
また、第３ＬＦアンテナ４３は、第１ＬＦアンテナ４１及び第２ＬＦアンテナ４２による近接通信範囲よりも更にアウターユニット５に近接した範囲において通信をする。本例においては、アウターユニット５に図示しない携帯キー装置１０の照合部を設け、当該照合部から数センチメートル程度の通信範囲にて携帯キー装置１０と通信可能とする。
【００２５】
また、このアウターユニット５では、アウターユニット制御部４６の制御に従って、ドライバ４７により第１ＬＦアンテナ４１及び第２ＬＦアンテナ４２にて送信処理をさせ、ベースステーション４８により第３ＬＦアンテナ４３にて送受信処理をさせ、更に、フィルタ４９及びＲＦ処理部５０によりＵＨＦアンテナ４５にて受信処理をさせる。ここで、ベースステーション４８では、所定の周波数にて変調処理をするためのオシレータ５１を使用し、アウターユニット制御部４６では、所定の周波数にて動作するためのオシレータ５２を使用する。
【００２６】
このように各部に通信処理をさせるに際して、アウターユニット５では、電源供給部５３を使用して各部に電力供給をする。
【００２７】
また、このアウターユニット５では、住宅外のユーザに操作されるロック（施錠）スイッチ５４及びアンロック（解錠）スイッチ５５、住宅外のユーザに警告をするための警報ブザー５６、住宅外のユーザに施錠状態であることを提示する施錠ＬＥＤ（Light Emitting Diode）５７、住宅外のユーザに解錠状態であることを提示する解錠ＬＥＤ５８を備える。ロックスイッチ５４及びアンロックスイッチ５５は、住宅外のユーザに操作されるとオン状態になりインナーユニット２に検出される。また、警報ブザー５６、施錠ＬＥＤ５７及び解錠ＬＥＤ５８は、施解錠状態に応じてインナーユニット２により駆動される。
【００２８】
アウターユニット制御部４６は、インナーユニット２からの制御信号に応じてＲＦ処理部５０、ドライバ４７及びベースステーション４８を制御して携帯キー装置１０との間で無線信号の送受信をさせると共に、受信したアンサーバック信号を入力すると、インナーユニット２に出力する。
【００２９】
インナーユニット２は、上述したように構成されたアウターユニット５の各部と情報の入出力をするアウターユニットＩ／Ｆ（インターフェース）６１、インターフェースユニット３と情報の入出力をするインターフェースユニットＩ／Ｆ６２、電動サムターンユニット４の状態検出をする第１電動サムターンＩ／Ｆ６３及び第２電動サムターンＩ／Ｆ６４、扉開閉スイッチ６の状態検出をする扉スイッチＩ／Ｆ６５を備える。なお、本例では、電動サムターンユニット４として、例えばドア本体１の上方と下方とに２つの施解錠モータ２１及び施解錠スイッチ２２を備えたものについてのインナーユニット２を示した。
【００３０】
また、このインナーユニット２は、住宅内のユーザに操作される登録キースイッチ６６及び室内施錠スイッチ６７、各部を制御するインターユニット制御部６８、当該インターユニット制御部６８に電力供給する電池６９を備える。
【００３１】
登録キースイッチ６６は各携帯キー装置１０による施解錠を可能にするための登録処理をするときに操作され、室内施錠スイッチ６７は住宅内から施錠をするに際して操作される。登録キースイッチ６６及び室内施錠スイッチ６７は、その操作がインターユニット制御部６８により検出される。
【００３２】
インターユニット制御部６８は、例えばＣＰＵ（Central Processing Unit）等により構成され、内部の施錠制御処理プログラムを実行することで、後述の施解錠制御処理を実行する。このとき、インターユニット制御部６８では、アウターユニットＩ／Ｆ６１を介して、アウターユニット５からの情報を取得してアウターユニット５を制御する制御信号をアウターユニット５に送る。また、インターユニット制御部６８では、第１電動サムターンＩ／Ｆ６３及び第２電動サムターンＩ／Ｆ６４からの施解錠状態を検出する。
【００３３】
また、インターユニット制御部６８では、例えば電動サムターンユニット４が室内のユーザにより操作されて施錠された場合においては、室外からの無線通信による解錠を無効とするセキュリティモードとする。このとき、インターユニット制御部６８では、室外のユーザにセキュリティモードであることを通知するために警報ブザー５６や施錠ＬＥＤ５７を駆動する。
【００３４】
更に、このインターユニット制御部６８では、セキュリティモード時での解錠時に、第３ＬＦアンテナ４３により携帯キー装置１０と通信をするようにアウターユニット制御部４６及びベースステーション４８を制御して、施解錠を制御する後述の施解錠制御処理をする。
【００３５】
更にまた、このインターユニット制御部６８では、携帯キー装置１０の登録処理時に、第３ＬＦアンテナ４３により携帯キー装置１０と通信をするようにアウターユニット制御部４６及びベースステーション４８を制御する。そして、インターユニット制御部６８では、携帯キー装置１０をアウターユニット５の照合部に接触させるようにしてアウターユニット５と携帯キー装置１０との通信をさせ、携帯キー装置１０に格納されたキーＩＤ番号情報を入力したことに応じて、新たな携帯キー装置１０を登録する。
【００３６】
［インナーユニット２及びアウターユニット５による施解錠制御処理］
つぎに、インナーユニット２及びアウターユニット５にて行う施錠制御処理の処理手順について図４〜図６を参照して説明する。なお、本例では、３個の携帯キー装置１０（ＫＥＹ１〜ＫＥＹ３）を予め登録してインターユニット制御部６８にてキー番号情報を記憶している場合の処理について説明する。また、この施解錠制御処理は、例えば所定期間毎にインターユニット制御部６８により実行する。
【００３７】
先ず、何れかのユーザが外出する場合にロックスイッチ５４が操作されず（ステップＳ１）、更にアンロックスイッチ５５が操作されていない場合に（図５のステップＳ３４）、室内のユーザにより電動サムターンユニット４が操作されることにより施錠をした場合には（図６のステップＳ５９）、インターユニット制御部６８は、解錠許可フラグをリセットする（ステップＳ６０）。これにより、インターユニット制御部６８では、室外の携帯キー装置１０と第１ＬＦアンテナ４１及び第２ＬＦアンテナ４２との通信による解錠動作を無効にするセキュリティモードとなる。
【００３８】
また、室内のユーザにより電動サムターンユニット４が施錠操作されておらず、電動サムターンユニット４が解錠操作された場合には（ステップＳ６１）、インターユニット制御部６８は、解錠許可フラグをセットする（ステップＳ６２）。これにより、インターユニット制御部６８では、室外の携帯キー装置１０と第１ＬＦアンテナ４１及び第２ＬＦアンテナ４２との通信による解錠動作を有効にする。
【００３９】
更に、室外の携帯キー装置１０により電動サムターンユニット４の解錠動作がなされた場合には（ステップＳ６３）、インターユニット制御部６８では、登録されている各携帯キー装置１０のアウターユニット５へのアクセスを許可するアクセス許可フラグをセットする（ステップＳ６４）。すなわち、インターユニット制御部６８では、携帯キー装置１０による解錠を許可するようにする。
【００４０】
一方、携帯キー装置１０を保持したユーザが外出するに際して、ロックスイッチ５４が操作されとインターユニット制御部６８により判定すると（図４のステップＳ１）、インターユニット制御部６８では、アウターユニット５の第１ＬＦアンテナ４１及び第２ＬＦアンテナ４２から各キーＩＤ番号情報を含むリクエスト信号を送出するようにアウターユニット制御部４６を制御し、各携帯キー装置１０ごとにアクセスする（ステップＳ２）。
【００４１】
次に、インターユニット制御部６８では、各携帯キー装置１０のキーＩＤ情報を含むリクエスト信号を送出したことに対するアンサーバック信号を受信した場合に、当該受信したキーＩＤ情報のうち、登録されている携帯キー装置１０のキーＩＤ情報と一致したものがあるか否かを判定する（ステップＳ３）。インターユニット制御部６８では、一致したキーＩＤ情報がない場合には図５のステップＳ３４に処理を進め、一致したキーＩＤ情報がある場合には施錠動作をするように電動サムターンユニット４を制御する（ステップＳ４）。
【００４２】
次に、インターユニット制御部６８では、ＫＥＹ１〜ＫＥＹ３として登録している各携帯キー装置１０についてのエリア外フラグをクリアする（ステップＳ５）。このエリア外フラグは、ユーザが携帯キー装置１０を保持して外出をしたことにより、当該携帯キー装置１０が第１ＬＦアンテナ４１及び第２ＬＦアンテナ４２の通信範囲に存在しないことを示すフラグであって、インターユニット制御部６８内に保持されている。
【００４３】
次に、インターユニット制御部６８では、内部に保持しているタイマをセットし（ステップＳ６）、５秒の経過時間の計測を開始する（ステップＳ７）。
【００４４】
次に、インターユニット制御部６８では、ＫＥＹ１として登録されている携帯キー装置１０についてのアクセス許可フラグがセットされているか否かを判定し（ステップＳ８）、更にＫＥＹ１として登録されている携帯キー装置１０についてのエリア外フラグがセットされているか否かを判定する（ステップＳ９）。
【００４５】
ＫＥＹ１として登録されている携帯キー装置１０についてのアクセス許可フラグがセットされており、且つエリア外フラグがセットされていない場合には、当該携帯キー装置１０にリクエスト信号を送出して（ステップＳ１０）、アンサーバック信号を受信する（ステップＳ１１）。そして、インターユニット制御部６８では、受信したアンサーバック信号に含まれるキーＩＤ情報が、登録されているキーＩＤ情報であるか否かを判定し（ステップＳ１２）、受信したキーＩＤ情報が登録されているキーＩＤ情報であると判定した場合にはステップＳ１４以降のＫＥＹ２についての処理に進み、そうでない場合にはエリア外フラグをセットする（ステップＳ１３）。
【００４６】
一方、インターユニット制御部６８は、ＫＥＹ１として登録されている携帯キー装置１０についてのアクセス許可フラグがセットされておらず（ステップＳ８）、且つエリア外フラグがセットされている場合には（ステップＳ９）、ＫＥＹ２についての処理に進める。
【００４７】
次に、インターユニット制御部６８では、ＫＥＹ１についてしたステップＳ８〜ステップＳ１３と同様の処理を、ＫＥＹ２について実行し（ステップＳ１４〜ステップＳ１９）、更にＫＥＹ３について実行する（図５のステップＳ２０〜ステップＳ２５）。これにより、インターユニット制御部６８では、先のステップＳ４にて施錠動作をさせた携帯キー装置１０を認識すると共に、当該携帯キー装置１０を保持して第１ＬＦアンテナ４１及び第２ＬＦアンテナ４２の通信範囲外となったことによりエリア外フラグをセットする。
【００４８】
次に、インターユニット制御部６８では、図５に示すように、ステップＳ７にて５秒の時間計測を開始して、５秒が経過したか否かを判定し（ステップＳ２６）、更に、後述のステップＳ３２にて１０秒の時間計測を開始してから１０秒が経過したか否かを判定する（ステップＳ２７）。
【００４９】
インターユニット制御部６８では、ステップＳ２６にて５秒が経過しておらず、且つステップＳ２７にて１０秒が経過していないと判定した場合には、ＫＥＹ１〜ＫＥＹ３として登録されている全ての携帯キー装置１０についてのエリア外フラグがセットされているか否かを判定する（ステップＳ３３）。これにより、インターユニット制御部６８では、施錠された後に第１ＬＦアンテナ４１及び第２ＬＦアンテナ４２の通信範囲に他の携帯キー装置１０が存在していないか否かを判定する。全ての携帯キー装置１０についてのエリア外フラグがセットされていないと判定した場合には、何れかの携帯キー装置１０がアウターユニット５の通信範囲に存在すると判定してステップＳ７に処理を戻す。
【００５０】
これに対し、全ての携帯キー装置１０についてのエリア外フラグがセットされていると判定した場合には、登録されている全ての携帯キー装置１０が第１ＬＦアンテナ４１及び第２ＬＦアンテナ４２の通信範囲に存在しないと判定して、警報ブザー５６の駆動をせずに（ステップＳ２９）、次のステップＳ３４に処理を進める。
【００５１】
一方、登録されている全ての携帯キー装置１０が第１ＬＦアンテナ４１及び第２ＬＦアンテナ４２の通信範囲に存在し（ステップＳ３３）、ステップＳ２６にて５秒が経過していると判定した場合には、インターユニット制御部６８では、警報ブザー５６を駆動すると共に（ステップＳ３０）、ステップＳ６にてセットしたタイマを停止させて（ステップＳ３１）、１０秒の時間計測を開始させて、ステップＳ３３に処理を進める（ステップＳ３２）。
【００５２】
これに対し、５秒が経過していないが（ステップＳ２６）、１０秒が経過したと判定した場合には（ステップＳ２７）、携帯キー装置１０が第１ＬＦアンテナ４１及び第２ＬＦアンテナ４２の通信範囲に存在するが、アウターユニット５へのアクセスを許可しないためにアクセス許可フラグをリセットし（ステップＳ２８）、警報ブザー５６の駆動を停止して（ステップＳ２９）、ステップＳ３４に処理を進める。
【００５３】
次に、インターユニット制御部６８では、ステップＳ３４にてアンロックスイッチ５５が操作されたことを認識した場合には、電動サムターンユニット４がユーザにより解錠状態とされて先のステップＳ６２にて解錠許可フラグがセットされているか否かを判定する（ステップＳ３５）。解錠許可フラグがセットされていると判定した場合にはセキュリティモードとなっておらず、ステップＳ３６以降の処理に移行し、解錠許可フラグがセットされていないと判定した場合にはセキュリティモードとなっており、ステップＳ４０以降の処理に移行する。
【００５４】
セキュリティモードとなっている場合には、インターユニット制御部６８は、ＫＥＹ１のキーＩＤ番号情報を含むリクエスト信号を送信して（ステップＳ４０）、アンサーバック信号にＫＥＹ１のキーＩＤ情報が含まれているか否かを判定し（ステップＳ４１）、ＫＥＹ２のキーＩＤ番号情報を含むリクエスト信号を送信して（ステップＳ４２）、アンサーバック信号にＫＥＹ２のキーＩＤ情報が含まれているか否かを判定し（ステップＳ４３）、更に、ＫＥＹ３のキーＩＤ番号情報を含むリクエスト信号を送信して（ステップＳ４４）、アンサーバック信号にＫＥＹ３のキーＩＤ情報が含まれているか否かを判定する（ステップＳ４５）。
【００５５】
ここで、ステップＳ４１〜ステップＳ４６において、インターユニット制御部６８では、携帯キー装置１０をアウターユニット５の照合部に接触させるような近接した通信範囲にてリクエスト信号及びアンサーバック信号の通信をするために、第３ＬＦアンテナ４３により通信をするようにアウターユニット制御部４６を制御する。
【００５６】
ステップＳ４１〜ステップＳ４５の処理をした結果、予め登録しておいたキーＩＤ情報と、受信したアンサーバック信号のキーＩＤ情報とが一致した場合には、インターユニット制御部６８は、解錠許可フラグをセットして（ステップＳ４７）、解錠させるように電動サムターンユニット４を制御する（ステップＳ４８）。これに対し、予め登録しておいたキーＩＤ情報と、受信したアンサーバック信号のキーＩＤ情報とが一致しない場合には、インターユニット制御部６８は、警報ブザー５６や施錠ＬＥＤ５７を駆動して、セキュリティモードとなっていることをロックスイッチ５４を操作したユーザに通知し（ステップＳ４６）、ステップＳ５９に処理を進めることになる。
【００５７】
一方、ステップＳ３５にて解錠許可フラグがセットされていると判定した場合、インターユニット制御部６８では、ＫＥＹ１として登録されている携帯キー装置１０についてのアクセス許可フラグがセットされているか否かを判定し（ステップＳ３６）、アクセス許可フラグがセットされている場合には、リクエスト信号を送信して（ステップＳ３７）、アンサーバック信号を受信し（ステップＳ３８）、当該アンサーバック信号に含まれるキーＩＤ情報と登録されているキーＩＤ情報とを比較して一致しているか否かを判定する（ステップＳ３９）。また、ＫＥＹ１として登録されている携帯キー装置１０についてのアクセス許可フラグがセットされていないと判定した場合には、次のＫＥＹ２について図６のステップＳ４９以降の処理に移行する。
【００５８】
また、インターユニット制御部６８では、ＫＥＹ２として登録されている携帯キー装置１０についてもステップＳ３６〜ステップＳ３９と同様の処理をし（ステップＳ４９〜ステップＳ５２）、更に、ＫＥＹ３として登録されている携帯キー装置１０についてもステップＳ３６〜ステップＳ３９と同様の処理をする（ステップＳ５３〜ステップＳ５６）。
【００５９】
そして、インターユニット制御部６８では、ＫＥＹ１〜ＫＥＹ３として登録されている携帯キー装置１０のうち、受信したアンサーバック信号に含まれるキーＩＤ情報と登録されているキーＩＤ情報とが一致している携帯キー装置１０が存在した場合には（ステップＳ３９，ステップＳ５２，ステップＳ５６）、解錠許可フラグがセットされているか否かを判定する（ステップＳ５７）。そして、インターユニット制御部６８により解錠許可フラグがセットされていると判定した場合には解錠動作をするように電動サムターンユニット４を制御し、解錠許可フラグがセットされていない場合にはステップＳ５９以降に処理を進める。
【００６０】
一方、インターユニット制御部６８では、ＫＥＹ１〜ＫＥＹ３として登録されている携帯キー装置１０のうち、受信したアンサーバック信号に含まれるキーＩＤ情報と登録されているキーＩＤ情報とが一致している携帯キー装置１０が存在しない場合には（ステップＳ３９，ステップＳ５２，ステップＳ５６）、解錠動作をさせずにステップＳ５９以降に処理を進める。
【００６１】
なお、上述した一例では、セキュリティモードである場合に、各携帯キー装置１０と近接した通信範囲にて通信をした後にステップＳ４６にてその旨を通知する場合について説明したが、ロックスイッチ５４が操作された場合のに直ちにステップＳ４６の処理をして、セキュリティモード時にアウターユニット５の照合部に携帯キー装置１０を接触させる行動を促し、次の処理時にステップＳ４０〜ステップＳ４８の処理を実行し、再度ステップＳ４６を実行するようにしても良い。
【００６２】
［実施形態の効果］
以上詳細に説明したように、本発明を適用した住宅用施解錠システムによれば、室内から電動サムターンユニット４を操作してサムターン施錠した場合には、登録されている携帯キー装置１０により解錠を許可する解錠許可フラグをリセットしてセキュリティモードとし、アウターユニット５の照合部に接触させるように携帯キー装置１０を近づけた場合に解錠させるので、他の携帯キー装置１０がアウターユニット５の通信範囲に存在する場合であっても解錠可能状態とすることがない。したがって、この住宅用施解錠システムによれば、携帯キー装置１０の保管場所に制限を設けることなく、正規の携帯キー装置１０を保持するユーザがドア本体１に近づいたときに解錠をさせることができる。
【００６３】
また、この住宅用施解錠システムによれば、室外からアンロックスイッチ５５が操作された場合に、警報ブザー５６等を駆動してセキュリティモードである旨を通知することができるので、室外のユーザに携帯キー装置１０をアウターユニット５の照合部に近接させる行動を促すことができる。
【００６４】
更に、この住宅用施解錠システムによれば、セキュリティモードとなっている場合にはアンロックスイッチ５５が操作される前であっても施錠ＬＥＤ５７等を駆動することにより、セキュリティモードを予め通知することができ、アンロックスイッチ５５を操作させる前に、携帯キー装置１０をアウターユニット５の照合部に接触させる行動を促して直ちに解錠動作をさせることができる。
【００６５】
更にまた、この住宅用施解錠システムによれば、第３ＬＦアンテナ４３により携帯キー装置１０とアウターユニット５の照合部とを接触させて通信をした場合に、正規の携帯キー装置１０として登録させるように設定することにより、他の携帯キー装置１０をアウターユニット５から遠ざけた状態にて各携帯キー装置１０を登録するという作業をなくすことができる。
【００６６】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００６７】
すなわち、上述した実施の形態では、携帯キー装置１０のＩＤ番号情報を、第１通信範囲と近接通信範囲と同一の情報を近接通信により登録して登録作業を容易にしているが、第１通信範囲と近接通信範囲とで異なるＩＤ番号情報を登録して第１通信範囲での通信及び近接通信範囲での通信を行うようにしても良い。
【００６８】
【発明の効果】
本発明によれば、ユーザにより保有される携帯キー装置と第１通信範囲にて通信をした結果に基づいてドア本体を解錠させる処理を禁止するセキュリティモードとし、ドア本体を解錠させるに際して、第１通信範囲よりも近接した近接通信範囲内にて通信をして識別情報が一致している場合にドア本体を解錠させるので、他の携帯キー装置が第１通信範囲に存在する場合であっても解錠可能状態とすることがない。したがって、本発明によれば、携帯キー装置の保管場所に制限を設けることなく、正規の携帯キー装置を保持するユーザがドア本体に近づいたときに解錠をさせることができる。
【図面の簡単な説明】
【図１】本発明を適用したドア本体側の構成及び携帯キー装置についての概要を説明するための図である。
【図２】携帯キー装置の構成を示すブロック図である。
【図３】本発明を適用したインナーユニット及びアウターユニットの構成を示すブロック図である。
【図４】インナーユニット及びアウターユニットによる施解錠制御処理の処理手順を示すフローチャートである。
【図５】インナーユニット及びアウターユニットによる施解錠制御処理の処理手順を示すフローチャートである。
【図６】インナーユニット及びアウターユニットによる施解錠制御処理の処理手順を示すフローチャートである。
【符号の説明】
１  ドア本体
２  インナーユニット
３  インターフェースユニット
４  電動サムターンユニット
５  アウターユニット
６  扉開閉スイッチ
１０  携帯キー装置
２１  施解錠モータ
２２  施解錠スイッチ
３１  ＣＰＵ
３２  電源部
３３  レシーバ
３３  ＬＦレシーバ
３４  ＵＨＦトランスミッタ
３５  ＥＥＰＲＯＭ
３６  ＬＦアンテナ
３７  ＵＨＦアンテナ
４１  第１ＬＦアンテナ
４２  第２ＬＦアンテナ
４３  第３ＬＦアンテナ
４５  ＵＨＦアンテナ
４６  アウターユニット制御部
４７  ドライバ
４８  ベースステーション
４９  フィルタ
５０  ＲＦ処理部
５１  オシレータ
５２  オシレータ
５３  電源供給部
５４  ロックスイッチ
５５  アンロックスイッチ
５６  警報ブザー
５７  施錠ＬＥＤ
５８  解錠ＬＥＤ
６６  登録キースイッチ
６７  室内施錠スイッチ
６８  インターユニット制御部
６９  電池
【図１】
2004190420.tif 000003
【図２】
2004190420.tif 000004
【図３】
2004190420.tif 000005
【図４】
2004190420.tif 000006
【図５】
2004190420.tif 000007
【図６】
2004190420.tif 000008